(57)【要約】      （修正有）【課題】取付金具が変形し難い高い強度を有すると共にハゼ部を強い力で挟着して装置類を折板屋根上に安定して装着し得るようにし、またハゼ部への取付け作業を容易にする取付金具を提供する。【解決手段】夫々略コ状に形成して対向させる左右一対の挟着板２，３と両挟着板の天板部１０，２０を重ねて一体に結合する取付用ボルト４とからなり、前記各挟着板には天板部の中央部にボルト軸部３０を挿通しうる貫通孔を設け、天板部から垂直板部１２，２２に亘る側縁に沿って係合縁１３，２３を延設し、一方の天板部は他方の天板部より適宜小幅にし且つ下側に向け稍傾斜させて他方の天板部の内側に嵌合し得ると共に内側天板部の係合縁間にボルト頭部３１を係止し得るようにしてあり、両天板部の貫通孔に挿通し上方に突出させたボルト軸部３０にナットを締着することにより対向した両底板部１１，２１で折板屋根のハゼ部を挟着し得るようにしてなる。【選択図】図１
0003176991.tif 000002
【実用新案登録請求の範囲】
【請求項１】
夫々略コ状に形成して対向させる左右一対の挟着板と、両挟着板の天板部を重ねて一体に結合する取付用ボルトとからなり、前記各挟着板には天板部の中央部にボルト軸部を挿通しうる貫通孔を設け、天板部から垂直板部に亘る側縁に沿って係合縁を延設すると共に、一方の天板部は他方の天板部より適宜小幅にし且つ下側に向け稍傾斜させて、他方の天板部の内側に嵌合し得ると共に、内側天板部の係合縁間にボルト頭部を係止し得るようにしてあり、両天板部の貫通孔に挿通し上方に突出させたボルト軸部にナットを締着することにより、対向した両底板部の先端部で折板屋根のハゼ部を挟着し得るようにしてなる折板屋根ハゼ取付金具。
【請求項２】
両挟着板の垂直板部から底板部に亘り夫々補強用凸状部を夫々設けると共に、天板部を傾斜させた側の垂直板部の高さを他方の垂直板部より稍低目に形成して嵌入し易いようにしてある前記請求項１記載の折板屋根ハゼ取付金具。
【考案の詳細な説明】
【技術分野】
【０００１】
本考案は、折板屋根の巻ハゼ部に取り付けて、該屋根上部に太陽光パネルなどの装置類を取付ける為に使用する金具に関するものである。
【背景技術】
【０００２】
従来、折板屋根上に太陽光パネル等の装置類を設置する場合には、該折板屋根に形成されているハゼ部に取付金具を止着し、該取付金具上に鋼材やハンガーを固定して装置類を取り付けるようにしている。
従来この種の取付金具としては、実公平０４−１１０６４公報に示されているように、上辺板部が重合し且つ下辺板部が相対向する２個のコ状の挟着板を形成し、一方の挟着板の上辺板部にボルト軸部を上方に向けて植立し、他方の挟着板の上辺板部に長孔を設けて前記ボルト軸部を挿通して、突出したボルト軸部にナットを螺合してなるものが知られている。
【特許文献１】実公平０４−１１０６４号
【考案の開示】
【考案が解決しようとする課題】
【０００３】
上記従来の取付金具は、載置している装置類に左右方向に揺らす力や上方に引き上げるような力が働くと、挟着板の屈曲部が変形して強度が低下したり、ナットの締付力が次第に弱くなり緩みを生じるという難点があった。
その結果として、折板屋根のハゼ部を締め付ける挟着力が弱くなり、金具がハゼ部から抜け出る惧れがあった。
本考案は、上記難点に鑑みて、取付金具が変形し難い高い強度を有すると共にハゼ部を強い力で長期間挟着して、装置類を折板屋根上に安定して装着し得るようにすると共に、ハゼ部への取付け作業を容易にできるようにしたものである。
【課題を解決するための手段】
【０００４】
本考案に係る折板屋根ハゼ取付金具は、夫々略コ状に形成して対向させた左右一対の挟着板と、両挟着板の天板部を重ねて一体に結合する取付用ボルトとからなり、前記各挟着板には天板部の中央部にボルト軸部を挿通しうる貫通孔を設け、天板部から垂直板部に亘る側縁に沿って係合縁を延設すると共に、一方の天板部は他方の天板部より適宜小幅にし且つ下側に向け稍傾斜させて、他方の天板部の内側に嵌合し得ると共に、内側天板部の係合縁間にボルト頭部を係止し得るようにしてあり、両天板部の貫通孔に挿通し上方に突出させたボルト軸部にナットを締着することにより、対向した両底板部の先端部で折板屋根のハゼ部を挟着し得るように構成してなる。
また、両挟着板の垂直板部から底板部に亘り夫々補強用凸状部を夫々設けると共に、天板部を傾斜させた側の垂直板部の高さを他方の垂直板部より稍低目に形成して嵌入し易いように構成する場合もある。
【考案の効果】
【０００５】
本考案に係る折板屋根ハゼ取付金具は、請求項１記載の構成により、使用中載置している装置類に左右方向の応力や上方への引張り力が作用しても取付金具が変形する惧れがないと共に取付ボルトが緩む惧れがないので、長期間に亘りハゼ部を強い力で挟着することが出来る。従って、装置類を折板屋根上に長期間確実に装着しておくことが出来る。
また、請求項２に記載のように構成したことにより、変形に対する強度を一層高める事が出来ると共に、ハゼ部への取付作業を容易且つ円滑に行うことが出来る利点がある。
【実施例１】
【０００６】
以下添付図面に従って、本考案の一実施例を説明する。
１は本考案に係る取付金具であって、左右一対の挟着板２，３と取付ボルト４とからなる。
上記左挟着板２は、所要厚さの金属板をコ状に屈曲して、天板部１０と底板部１１及び垂直板部１２を形成し、天板部１０と底板部１１を共に水平に形成すると共に、該天板部１０の中央部にはボルト軸部３０の貫通孔１４を設けてある。また、その前後両側縁部には、天板部１０の先端部から垂直板部１２の下端部に亘り係合縁１３，１３を夫々延設してある。
一方の右挟着板３は、上記左挟着板２より小幅の金属板を略コ状に屈曲して、天板部２０、底板部２１及び垂直板部２２を夫々形成し、前記天板部２０を所要角度αだけ下側に傾斜させ、その中央部にはボルト軸部３０の貫通孔２４を設けて、その天板部２０を左挟着板２の係合縁１３，１３間に嵌合し得るように形成してある。前記垂直板２２は左挟着板２の垂直板部１２の高さより稍低目に形成してある。
また、その前後両側縁部には、天板部２０の先端部から垂直板部２２の下端部に亘り係合縁２３，２３を夫々延設して、両係合縁２３，２３間にボルト頭部３１が嵌着し得るように形成してある。
而して、両挟着板２，４を対向させて、右挟着板２の天板部２０を左挟着板２の天板部１０の係合縁１３，１３間に嵌入させると共に、取付ボルト４の軸部３０を貫通孔１４，２４を通して上方に突出させる事により一体に結合し得るようになっている。
【０００７】
又、両挟着板２，３には、垂直板部１２，２２の上側部から底板部１１，２１の前側部に亘り、一対の補強用凸状部４０，４１を突設してある。４２は取付ボルト４に螺合したナット、４３は座金を夫々示す。
【０００８】
次に、本考案に係る取付金具１を折板屋根に取付ける態様につき説明する。
図９に示すように、両挟着板２，３の両底板部を左右方向に開いてハゼ部Ｈに嵌め込んで折板屋根Ｒ上に載置する。
図１０に示すように、取付ボルト４に螺合してあるナット４２を締め付けて、両天板部２，４が重合する方向に締め付けると、一方の挟着板３の天板部２０が所要角度下側に傾斜させてあるので、強い弾性力が両底板部１１，２１に作用するので、ハゼ部Ｈの垂直壁部を強い力で挟着することが出来る。
又、両挟着板２，３は、一方の天板部２０を他方の天板部１０の係合縁１３，１３間に嵌入すると共に、一方の天板部２０の係止縁２３，２３間に取付ボルト４の頭部３１を係止し得るように構成してあるので、両挟着板２，３ががたつくことなく一体に結合された状態を長期間保持することが出来る。
而して、突出したボルト軸部３０に取付板Ｍを介して取付けられた太陽光パネル等の装置類は長期間安定した状態で装着される。
また、ハゼ部への取付に際してボルト頭部３１が回転することがないので、取付作業を円滑に行うことが出来る。
【図面の簡単な説明】
【０００９】
【図１】本考案に係る折板屋根用取付金具の正面図である。
【図２】同上右側面図である。
【図３】左挟着板の正面図である。
【図４】同上側面図である。
【図５】図３におけるＡ−Ａ線断面図である。
【図６】右挟着板の正面図である。
【図７】同上側面図である。
【図８】図６におけるＢーＢ線断面図である。
【図９】取付状態を示す正面図である。
【図１０】取付状態を示す一部断面図である。
【図１１】図１０図における中央縦断面図である。
【符号の説明】
【００１０】
１      取付金具  
２      左挟着板      
３      右挟着板  
４      取付ボルト  
１０    天板部  
１１    底板部  
１２    垂直板部  
１３    係合縁  
１４    貫通孔  
２０    天板部  
２１    底板部  
２２    垂直板部  
２３    係合縁  
２４    貫通孔  
３０    ボルト軸部  
３２    ボルト頭部
４０    補強用凸状部
４１    補強用凸状部
４２    ナット
【図１】
0003176991.tif 000003
【図２】
0003176991.tif 000004
【図３】
0003176991.tif 000005
【図４】
0003176991.tif 000006
【図５】
0003176991.tif 000007
【図６】
0003176991.tif 000008
【図７】
0003176991.tif 000009
【図８】
0003176991.tif 000010
【図９】
0003176991.tif 000011
【図１０】
0003176991.tif 000012
【図１１】
0003176991.tif 000013